(57)【要約】      （修正有）【課題】宅配業者等の運送事業を活用してリサイクル材を効率よく回収できるようにすることによって、ガソリン消費量の削減と古紙等のリサイクル材の有効利用を一挙に達成できるようにしたリサイクル材の回収システムを提供する。【解決手段】サーバコンピュータはシステム加入者の住所、氏名等の加入者情報を管理し、各加入者の住居や事業所にリサイクル材を収集するための専用の収集箱を設置すると共にこの収集箱に収集されたリサイクル材を、宅配業者等の運送業者が顧客の住居や事業所へ荷物を宅配した際に宅配荷物として集荷するシステムであって、サーバコンピュータ３は、各加入者毎に荷物を宅配した宅配日を管理すると共に、最新の宅配日から所定期間が経過した日を特別回収日として管理する機能を更に備え、この特別回収日は、宅配業者が、加入者の住居、事業所へリサイクル材を宅配荷物として集荷するために特別に出向く日である。【選択図】図１
2009211261.tif 000002
【特許請求の範囲】
【請求項１】
システム加入者のクライアントコンピュータと、該クライアントコンピュータとインターネット等の電気通信回線を介して接続されたサーバコンピュータとを備え、
各システム加入者の住居や事業所にリサイクル材を収集するための専用の収集箱を設置し、
前記サーバコンピュータはシステム加入者の住所、氏名等の加入者情報を管理し、
前記収集箱に収集されたリサイクル材を、前記サーバコンピュータを備えた宅配業者等の運送業者が顧客の住居や事業所へ荷物を宅配した際に集荷、回収するシステムであって、
前記サーバコンピュータは、各加入者毎に荷物を宅配した宅配日を管理すると共に、最新の宅配日から所定期間が経過した日を特別回収日として管理する機能を更に備え、
この特別回収日は、宅配業者が、加入者の住居、事業所へリサイクル材を集荷、回収するために特別に出向く日であることを特徴とするリサイクル材の回収システム。
【請求項２】
前記特別回収日を求めるために最新の宅配日に加算する日数は、各システム加入者毎に異なっており、リサイクル材の集荷、回収量の多さに基づいて決定されるものであって、リサイクル材の集荷、回収量が多い場合には、少ない日数であることを特徴とする請求項１に記載のリサイクル材の回収システム。
【請求項３】
システム加入者は、自己の加入者情報を自己のクライアントコンピュータから入力し、インターネット等の電気通信回線を介してサーバコンピュータに登録されることを特徴とする請求項１又は請求項２に記載のリサイクル材の回収システム。
【請求項４】
前記リサイクル材は、カタログ、カタログを包装したビニール袋、ビニール紐、古紙、ペットボトル、チラシ、裁断された紙類であることを特徴とする請求項１乃至請求項３の何れか１項に記載のリサイクル材の回収システム。
【請求項５】
前記リサイクル材は、植物の植えられたプランター、鉢植えの植物であることを特徴とする請求項１乃至請求項４の何れか１項に記載のリサイクル材の回収システム。
【発明の詳細な説明】
【技術分野】
【０００１】
本発明は、リサイクル材の回収システムに関するものである。
【背景技術】
【０００２】
近年、地球温暖化を防止するために、ＣＯ２を削減する観点から古紙等をリサイクルして有効活用することが提案されている。
【０００３】
又、自動車はガソリンを消費しながら走行するものであるために、ＣＯ２の発生量が多く、自動車について、ガソリンの消費量を減らすことによって、ＣＯ２の発生量を抑制するための対策が検討されていた。
【発明の開示】
【発明が解決しようとする課題】
【０００４】
特に、宅配業者等の運送業者については、自動車を走行させるためのガソリンの消費量が多く、ガソリンの消費量を減らすことによって、ＣＯ２の発生量を抑制するための緊急の対策が検討されていた。
【０００５】
特許文献１には、ＣＯ２を削減するための発明が提案されている。しかし、当該特許文献１には、古紙等のリサイクル材を有効活用することと、自動車のガソリン消費量を減少させることの両方を一挙に解決できる対策が開示された発明は全く開示されてはいない。
【０００６】
【特許文献１】特開２００７−３２１５２０号公報
【０００７】
本発明は、前記背景技術の問題点に鑑みてなされたもので、宅配業者等の運送事業を活用してリサイクル材を効率よく回収できるようにすることによって、ガソリン消費量の削減と古紙等のリサイクル材の有効利用を一挙に達成できるようにしたリサイクル材の回収システムを提供することを目的とするものである。
【課題を解決するための手段】
【０００８】
請求項１に記載の発明は、システム加入者のクライアントコンピュータと、該クライアントコンピュータとインターネット等の電気通信回線を介して接続されたサーバコンピュータとを備え、
各システム加入者の住居や事業所にリサイクル材を収集するための専用の収集箱を設置し、
前記サーバコンピュータはシステム加入者の住所、氏名等の加入者情報を管理し、
前記収集箱に収集されたリサイクル材を、前記サーバコンピュータを備えた宅配業者等の運送業者が顧客の住居や事業所へ荷物を宅配した際に集荷、回収するシステムであって、
前記サーバコンピュータは、各加入者毎に荷物を宅配した宅配日を管理すると共に、最新の宅配日から所定期間が経過した日を特別回収日として管理する機能を更に備え、
この特別回収日は、宅配業者が、加入者の住居、事業所へリサイクル材を集荷、回収するために特別に出向く日であることを特徴とするものである。
【０００９】
請求項２に記載の発明は、求項１に記載のリサイクル材の回収システムにおいて、前記特別回収日を求めるために最新の宅配日に加算する日数は、各システム加入者毎に異なっており、リサイクル材の集荷、回収量の多さに基づいて決定されるものであって、リサイクル材の集荷、回収量が多い場合には、少ない日数であることを特徴とするものである。
【００１０】
請求項３に記載の発明は、請求項１又は請求項２に記載のリサイクル材の回収システムにおいて、システム加入者は、自己の加入者情報を自己のクライアントサーバから入力し、インターネット等の電気通信回線を介してサーバコンピュータに登録することを特徴とするものである。
【００１１】
請求項４に記載の発明は、請求項１又は請求項３に記載のリサイクル材の回収システムにおいて、前記リサイクル材は、カタログ、カタログを包装したビニール袋、古紙、ペットボトル、チラシ、裁断された紙類であることを特徴とするものである。
【００１２】
請求項５に記載の発明は、請求項１又は請求項４に記載のリサイクル材の回収システムにおいて、前記リサイクル材は、植物の植えられたプランター、鉢植えの植物であることを特徴とするものである。
【発明の効果】
【００１３】
請求項１に記載の発明によれば、宅配業者等の運送業者が荷物を宅配した際にリサイクル材を回収できるために、リサイクル材を効率よく回収することができる。このため、リサイクル材を回収するだけの目的で、宅配業者等の運送業者が、顧客の住居や事業所に出向く場合と比較して、リサイクル材の回収のために消費されるガソリンの消費量を格段に抑えることができて、地球温暖化の防止の対策としても極めて有効である。
【００１４】
請求項２に記載の発明によれば、宅配の無い日が続いた場合には、定期的にリサイクル材を集荷、回収することができるために、顧客の住居や事業所にリサイクル材が貯まり過ぎることがない。
【００１５】
請求項３に記載の発明によれば、システム加入者は、自己のクライアントコンピュータから自己の個人情報をサーバコンピュータに登録することができる。
【００１６】
請求項４に記載の発明によれば、カタログ、カタログを包装したビニール袋、古紙、ペットボトル、チラシ、裁断された紙類をリサイクルすることができる。
【００１７】
請求項５に記載の発明によれば、植物の植えられたプランターや植木鉢をリサイクルすることができる。
【発明を実施するための最良の形態】
【００１８】
図１は本システムの全体像を示す。本システム１は、宅配業者等の運送業者の企業２内に設けられたサーバコンピュータ３と、システム加入者の住居や事業所内に設けられたクライアントコンピュータ４とがインターネット等の電気通信回線５で接続されている。以下の説明では、運送業者として、宅配業者に適用した場合について説明する。
【００１９】
図２に示すように、前記システム加入者の住居や事業所内には、リサイクル材を収集するための専用の収集箱６が設置されている。リサイクル材としては、通販のカタログ、カタログを包装したビニール袋、ビニール紐、チラシ、古紙、ダンボール、ペットボトル、缶等が該当する。このリサイクル材は、種類毎に分別されて、紙類専用の収集箱６、ペットボトル専用の収集箱６、缶専用の収集箱６等を備えておくことが好ましい。
【００２０】
前記サーバコンピュータ３は、所定のプログラムソフトを内蔵することで以下の処理を実行するものである。
Ａ．本システムに加入しているシステム加入者の氏名、住所のようなシステム加入者の情報を記憶する。システム加入者の情報は、システム加入者のクライアントコンピュータ４から入力され、インタオネッ５を介してサーバコンピュータ３に入力されて記憶されるようにすることができる。
Ｂ．システム加入者に対して荷物を宅配した宅配日を記憶している。
Ｃ．最新の宅配日から一定期間を加算することでリサイクル材を集荷、回収する特別回収日を求め、この特別回収日を管理するようになっている。この特別材回収日とは、宅配業者がリサイクル材を集荷、回収する目的のために、システム加入者の住居や事業所に特別に出向く日である。ここで、最新の宅配日に加算される前記一定期間とはシステム加入者毎に異なっており、各システム加入者から回収されるリサイクル材の集荷量の多さによって異なる。つまり、集荷、回収されるリサイクル材の多いシステム加入者については、短い期間を設定することで、リサイクル材を頻繁に集荷、回収するようにしている。
【００２１】
次に動作について説明する。図２に示すように、システム加入者の住居や事業所には、リサイクル材を収集するための専用の収集箱６が設置される。システム加入者は、通販のカタログ、カタログを包装したビニール袋、ビニール紐、古新聞等の古紙、チラシ、ペットボトル、缶等をそれぞれ専用の収集箱に収集する。
【００２２】
そして、システム加入者の住居や事業所へ荷物を宅配する場合には、荷物を宅配した際に、ついでに、収集箱６に収集されているリサイクル材を宅配荷物として集荷、回収する。宅配業者は、荷物を宅配した際に、リサイクル材を宅配荷物として集荷、回収することができるために、効率良く、リサイクル材を集荷、回収することができる。このため、リサイクル材を集荷、回収するだけの目的で、宅配業者等の運送業者が、顧客の住居や事業所に出向く場合と比較して、リサイクル材の集荷、回収のために消費されるガソリンの消費量を格段に抑えることができて、地球温暖化の防止の対策としても極めて有効である。
【００２３】
一方、最新の宅配日から一定期間が経過し、特別回収日になった場合には、システム加入者に対して荷物の宅配がない場合であっても、リサイクル材の集荷、回収のために特別に出向く。このように、特別回収日にシステム加入者の住居や事業所へ出向いてリサイクル材を集荷、回収することによって、収集箱６にリサイクル材が収まりきれなくなる状態が防止されて、リサイクル材を効率よく集荷、回収することができる。
【００２４】
そして、リサイクル材を回収した宅配業者は、古紙取扱業者や産廃業者等にリサイクル材の処理を委託する。
【００２５】
尚、シュレッダー等の機器によって細かく裁断された紙類については、特に、溶解した後に塗料等の成分を除去して繊維成分のみを取り出し、この紙成分をプレス等して図３に示す植木鉢７や、図４に示すプランターの容器８の材料に利用することができる。
【００２６】
又、このように、塗料成分等を除去して分離した繊維成分のみを土に混ぜて植物を育成することで、植物の根を凍傷等の被害から保護することができる。
【００２７】
更に、このように、土に混入された繊維成分は、徐々に腐敗して、肥料になって、植物の育成に役立つこともできる。そして、このように、土に混入された繊維成分が、肥料になって、植物の育成に役立ち、育成した植物がＣＯ２を吸収することによって、結果として、ＣＯ２の削減に寄与することができる。
【００２８】
次に、植物の植えられているプランターや植木鉢をリサイクル材として集荷、回収する場合について説明する。先ず、宅配業者が、前記実施形態のようにして、プランターや植木鉢を集荷、回収する。その後、宅配業者が、産廃業者に鉢植えやプランター等の処分を依頼する。産廃業者は、鉢植えやプランター等から容器、土、植物を分離して、容器、土を処分する一方、植物取扱業者に植物を渡す。植物取扱業者は、植物を育成、植栽してリサイクルすることができる。
【００２９】
尚、以上の実施形態において、システム加入者は、産廃業者や植物取扱業者から金銭等を受領でき、又、システム加入者は、植物取扱業者から値引き等の有利な条件で、新たな植物を取得できるようにすることも可能である。
【００３０】
このように、リサイクル材を回収して再利用することによって、総合型循環システムが出来上がるために、環境を保護する観点からも極めて有効性の高い発明である。
【００３１】
各システム加入者からリサイクル材を集荷、回収する場合、リサイクル材は、宅配荷物として集荷することもできるし、あくまでも、リサイクル材として回収することもできるものである。
【図面の簡単な説明】
【００３２】
【図１】本システムの全体を示す図である。
【図２】システム加入者の住居や事業所に設置された収集箱を示す図である。
【図３】植木鉢の斜視図を示す。
【図４】プランターの容器の斜視図を示す。
【符号の説明】
【００３３】
１  リサイクル材回収システム
２  宅配業者等の運送業者の企業
３  サーバコンピュータ
４  クライアントコンピュータ
５  インターネット
６  収集箱
７  植木鉢
８  プランターの容器
【図１】
2009211261.tif 000003
【図２】
2009211261.tif 000004
【図３】
2009211261.tif 000005
【図４】
2009211261.tif 000006